(57)【要約】      （修正有）【課題】ユーザーの利便性を向上することができる画像形成システム及び、サーバー装置を提供する。【解決手段】画像形成システムは、スマートフォン１と、複合機と、スマートフォン１及び複合機と通信可能に接続されたサーバー装置２とを備える。スマートフォン１は、受付部１２１と、第１送信部１２２とを備える。受付部１２１は、複合機に対する指示を示す第１テキスト情報を、チャット形式で受け付ける。第１送信部１２２は、第１テキスト情報をサーバー装置２に送信する。サーバー装置２は、第１生成部２１３と、第２送信部２１５とを備える。第１生成部２１３は、第１テキスト情報に基づき、複合機に実行させるジョブを示すジョブ情報を生成する。第２送信部２１５は、ジョブ情報を複合機に送信する。複合機は、ジョブを実行する。【選択図】図３
2019205116.tif 000002
【特許請求の範囲】
【請求項１】
端末装置と、画像形成装置と、前記端末装置及び前記画像形成装置と通信可能に接続されたサーバー装置とを備える画像形成システムであって、
前記端末装置は、
前記画像形成装置に対する指示を示すテキスト情報を、チャット形式で受け付ける受付部と、
前記テキスト情報を前記サーバー装置に送信する第１送信部と
を備え、
前記サーバー装置は、
前記テキスト情報に基づき、前記画像形成装置に実行させるジョブを示すジョブ情報を生成する第１生成部と、
前記ジョブ情報を前記画像形成装置に送信する第２送信部と
を備え、
前記画像形成装置は、前記ジョブを実行する、画像形成システム。
【請求項２】
前記ジョブは、印刷ジョブ、データ受信ジョブ、ボックス記憶ジョブ、及びファクシミリ送信ジョブのうちの少なくとも１つを含み、
前記データ受信ジョブは、前記画像形成装置にデータを受信させるジョブを示し、
前記ボックス記憶ジョブは、前記画像形成装置にデータを受信させて、所定のボックスに記憶させるジョブを示し、
前記ファクシミリ送信ジョブは、前記画像形成装置にファクシミリを送信させるジョブを示す、請求項１に記載の画像形成システム。
【請求項３】
前記ジョブは、電子メール送信ジョブを含み、
前記電子メール送信ジョブは、前記画像形成装置に前記端末装置宛ての電子メールを送信させるジョブを示す、請求項１又は請求項２に記載の画像形成システム。
【請求項４】
前記ジョブは、データを前記電子メールに添付するジョブを含む、請求項３に記載の画像形成システム。
【請求項５】
前記サーバー装置は、前記テキスト情報に含まれる誤字を修正する修正部を更に備え、
前記第１生成部は、前記修正部の修正結果に基づき、前記ジョブ情報を生成する、請求項１から請求項４のいずれか１項に記載の画像形成システム。
【請求項６】
前記サーバー装置は、
前記テキスト情報に基づき、メッセージ情報を生成する第２生成部を更に備え、
前記メッセージ情報は、前記ジョブを生成するために必要な情報の補充を促し、
前記第２送信部は、前記メッセージ情報を前記端末装置に送信し、
前記端末装置は、
ディスプレーと、
前記メッセージ情報に対応するメッセージを前記ディスプレーに前記チャット形式で表示する表示制御部と
を更に備える、請求項１から請求項５のいずれか１項に記載の画像形成システム。
【請求項７】
端末装置及び画像形成装置と通信可能に接続されたサーバー装置であって、
前記画像形成装置に対する指示を示すテキスト情報を前記端末装置から受信する受信部と、
前記テキスト情報に基づき、前記画像形成装置に実行させるジョブを示すジョブ情報を生成する生成部と、
前記ジョブ情報を前記画像形成装置に送信する送信部と
を備える、サーバー装置。
【発明の詳細な説明】
【技術分野】
【０００１】
本発明は、画像形成システム、及びサーバー装置に関する。
【背景技術】
【０００２】
特許文献１に記載のプリントシステムは、インスタントメッセージサーバーとプリンターとを備える。インスタントメッセージサーバーは、インスタントメッセージプロトコルを用いて受信したデータを処理するように構成される。プリンターは、インスタントメッセージプロトコルにおいて受信したプリントデータをプリント可能フォーマットに変換するように構成される。プリンターには、プリンターアプリケーションがインストールされる。プリンターアプリケーションは、変換されたプリントデータをプリントするように構成される。
【先行技術文献】
【特許文献】
【０００３】
【特許文献１】特開２００５−２１６３０９号公報
【発明の概要】
【発明が解決しようとする課題】
【０００４】
特許文献１に記載のプリントシステムは、インスタントメッセージによってプリント処理が実行される。しかしながら、プリントシステムが実行可能な処理は、プリント処理に限定される可能性がある。したがって、ユーザーの利便性が充分ではない可能性がある。
【０００５】
本発明は、上記課題に鑑みてなされたものであり、ユーザーの利便性を向上可能な画像形成システム、及びサーバー装置を提供することを目的としている。
【課題を解決するための手段】
【０００６】
本発明に係る画像形成システムは、端末装置と、画像形成装置と、前記端末装置及び前記画像形成装置と通信可能に接続されたサーバー装置とを備える。前記端末装置は、受付部と、第１送信部とを備える。前記受付部は、前記画像形成装置に対する指示を示すテキスト情報を、チャット形式で受け付ける。前記第１送信部は、前記テキスト情報を前記サーバー装置に送信する。前記サーバー装置は、第１生成部と、第２送信部とを備える。前記第１生成部は、前記テキスト情報に基づき、前記画像形成装置に実行させるジョブを示すジョブ情報を生成する。前記第２送信部は、前記ジョブ情報を前記画像形成装置に送信する。前記画像形成装置は、前記ジョブを実行する。
【０００７】
本発明に係るサーバー装置は、端末装置及び画像形成装置と通信可能に接続され、受信部と、生成部と、送信部とを備える。前記受信部は、前記画像形成装置に対する指示を示すテキスト情報を前記端末装置から受信する。前記生成部は、前記テキスト情報に基づき、前記画像形成装置に実行させるジョブを示すジョブ情報を生成する。前記送信部は、前記ジョブ情報を前記画像形成装置に送信する。
【発明の効果】
【０００８】
本発明に係る画像形成システム、及びサーバー装置によれば、ユーザーの利便性を向上できる。
【図面の簡単な説明】
【０００９】
【図１】本発明の実施形態に係る画像形成システムの構成の一例を示す図である。
【図２】本発明の実施形態に係る複合機の構成の一例を示す図である。
【図３】本発明の実施形態に係る第１制御部、第２制御部、及び第３制御部の各々の構成を示す図である。
【図４】スマートフォンのタッチパネルに表示される複合機登録画面の一例を示す画面図である。
【図５】複合機登録処理の一例を示すフローチャートである。
【図６】スマートフォンのタッチパネルに表示される複合機検索画面の一例を示す画面図である。
【図７】複合機検索処理の一例を示すフローチャートである。
【図８】スマートフォンのタッチパネルに表示される第１チャット画面の一例を示す画面である。
【図９】印刷処理の一例を示すフローチャートである。
【図１０】スマートフォンのタッチパネルに表示される第２チャット画面の一例を示す画面である。
【図１１】プレビュー処理の一例を示すフローチャートである。
【図１２】スマートフォンのタッチパネルに表示される第３チャット画面の一例を示す画面である。
【図１３】メール送信処理の一例を示すフローチャートである。
【発明を実施するための形態】
【００１０】
以下、本発明の実施形態について、図面（図１〜図１３）を参照しながら説明する。なお、図中、同一又は相当部分については同一の参照符号を付して説明を繰り返さない。
【００１１】
まず、図１を参照して、本発明の実施形態に係る画像形成システム１００について説明する。図１は、画像形成システム１００の構成の一例を示す図である。図１に示すように、画像形成システム１００は、スマートフォン１と、サーバー装置２と、複合機３とを備える。スマートフォン１と、サーバー装置２と、複合機３とは、ネットワーク４を介して、互いに通信可能に接続される。
【００１２】
スマートフォン１は、サーバー装置２とチャット形式で通信する。具体的には、スマートフォン１は、複合機３に対する指示を示すテキスト情報を、チャット形式で受け付ける。また、スマートフォン１は、複合機３と近距離通信で通信する。近距離通信は、例えば、ブルートゥース（登録商標）である。スマートフォン１は、「端末装置」の一例に相当する。スマートフォン１は、タッチパネル１１を備える。
【００１３】
タッチパネル１１は、例えば、ＬＣＤ（Ｌｉｑｕｉｄ  Ｃｒｙｓｔａｌ  Ｄｉｓｐｌａｙ）を備え、種々の画像を表示する。また、タッチパネル１１は、タッチセンサーを備え、ユーザーからの操作を受け付ける。
【００１４】
サーバー装置２は、スマートフォン１から複合機３に対する指示を示すテキスト情報を受信する。また、サーバー装置２は、テキスト情報に基づき、複合機３に実行させるジョブＪＢを示すジョブ情報ＪＢＪを生成する。
【００１５】
複合機３は、プリント処理、ファクシミリ送受信処理、コピー処理、及びスキャン処理を実行する。複合機３は、サーバー装置２から受信したジョブ情報ＪＢＪに基づいて、ジョブＪＢを実行する。複合機３の構成については、後述にて図２を参照して詳細に説明する。複合機３は、「画像形成装置」の一例に相当する。
【００１６】
ネットワーク４は、例えばインターネットである。本発明の実施形態では、ネットワーク４は、インターネットであるが、本発明はこれに限定されない。ネットワーク４は、スマートフォン１と、サーバー装置２と、複合機３とを通信可能に接続すればよい。ネットワーク４は、ＬＡＮ（Ｌｏｃａｌ  Ａｒｅａ  Ｎｅｔｗｏｒｋ）でもよいし、ＷＡＮ（Ｗｉｄｅ  Ａｒｅａ  Ｎｅｔｗｏｒｋ）でもよい。
【００１７】
次に、図１及び図２を参照して、本発明の実施形態に係る複合機３の構成について説明する。図２は、複合機３の構成の一例を示す図である。複合機３は、原稿Ｒに形成された画像を読み取ると共に、トナーを用いて用紙Ｐに画像を形成する。
【００１８】
図２に示すように、複合機３は、画像形成ユニット３１、画像読取ユニット３２、原稿搬送ユニット３３及び第３制御部３４を備える。画像形成ユニット３１は、用紙Ｐに画像を形成する。画像読取ユニット３２は、原稿Ｒに形成された画像を読み取り、画像情報を生成する。原稿搬送ユニット３３は、原稿Ｒを画像読取ユニット３２に搬送する。第３制御部３４は、複合機３の動作を制御する。
【００１９】
画像形成ユニット３１は、給送部３１２、搬送部Ｌ、トナー供給部３１３、画像形成部３１４、定着部３１６及び排出部３１７を備える。画像形成部３１４は、転写部３１５を含む。
【００２０】
給送部３１２は、用紙Ｐを搬送部Ｌへ供給する。搬送部Ｌは、用紙Ｐを転写部３１５及び定着部３１６を経由して排出部３１７まで搬送する。用紙Ｐは、「記録媒体」の一例に相当する。
【００２１】
トナー供給部３１３は、画像形成部３１４にトナーを供給する。画像形成部３１４は、用紙Ｐに画像を形成する。
【００２２】
転写部３１５は、中間転写ベルト３１５Ａを備える。画像形成部３１４が、中間転写ベルト３１５Ａ上にシアン色、マゼンタ色、イエロー色、及び黒色のトナー像を転写する。複数色のトナー像が中間転写ベルト３１５Ａ上で重畳され、中間転写ベルト３１５Ａ上に画像が形成される。転写部３１５は、中間転写ベルト３１５Ａ上に形成された画像を、用紙Ｐ上に転写する。その結果、用紙Ｐに画像が形成される。
【００２３】
定着部３１６は、用紙Ｐを加熱及び加圧し、用紙Ｐに形成された画像を用紙Ｐに定着する。排出部３１７は、用紙Ｐを複合機３の外部に排出する。
【００２４】
第３制御部３４は、プロセッサー３４Ａ及び記憶部３４Ｂを備える。プロセッサー３４Ａは、例えばＣＰＵ（Ｃｅｎｔｒａｌ  Ｐｒｏｃｅｓｓｉｎｇ  Ｕｎｉｔ）を備える。記憶部３４Ｂは、半導体メモリーのようなメモリーを備え、ＨＤＤ（Ｈａｒｄ  Ｄｉｓｋ  Ｄｒｉｖｅ）を備えてもよい。記憶部３４Ｂは、第３制御プログラムを記憶している。
【００２５】
次に、図１〜図３を参照して、本発明の実施形態に係る第１制御部１２、第２制御部２１及び第３制御部３４の各々の構成について説明する。図３は、第１制御部１２、第２制御部２１及び第３制御部３４の各々の構成の一例を示す図である。
【００２６】
図３に示すように、スマートフォン１は、第１制御部１２を備える。サーバー装置２は、第２制御部２１を備える。
【００２７】
第１制御部１２は、プロセッサー１２Ａ及び記憶部１２Ｂを備える。プロセッサー１２Ａは、例えばＣＰＵを備える。記憶部１２Ｂは、半導体メモリーのようなメモリーを備え、ＨＤＤを備えてもよい。記憶部１２Ｂは、第１制御プログラムを記憶している。
【００２８】
第１制御部１２は、受付部１２１と、第１送信部１２２と、第１受信部１２３と、表示制御部１２４とを備える。具体的には、第１制御部１２のプロセッサー１２Ａが、第１制御プログラムを実行することによって、受付部１２１、第１送信部１２２、第１受信部１２３及び表示制御部１２４として機能する。
【００２９】
第２制御部２１は、プロセッサー２１Ａ及び記憶部２１Ｂを備える。プロセッサー２１Ａは、例えばＣＰＵを備える。記憶部２１Ｂは、半導体メモリーのようなメモリーを備え、ＨＤＤを備えてもよい。記憶部２１Ｂは、第２制御プログラムを記憶している。
【００３０】
第２制御部２１は、第２受信部２１１と、修正部２１２と、第１生成部２１３と、第２生成部２１４と、第２送信部２１５とを備える。具体的には、第２制御部２１のプロセッサー２１Ａは、第２制御プログラムを実行することによって、第２受信部２１１、修正部２１２、第１生成部２１３、第２生成部２１４及び第２送信部２１５として機能する。
【００３１】
第３制御部３４は、第３受信部３４１と、実行部３４２と、第３送信部３４３とを備える。具体的には、第３制御部３４のプロセッサー３４Ａは、第３制御プログラムを実行することによって、第３受信部３４１、実行部３４２及び第３送信部３４３として機能する。
【００３２】
以下、第１制御部１２について詳細に説明する。
受付部１２１は、複合機３に対する指示を示す第１テキスト情報ＴＸＪ１を、チャット形式で受け付ける。第１テキスト情報ＴＸＪ１は、「テキスト情報」に相当する。チャットは、スマートフォン１を操作するユーザーと、サーバー装置２との間で実行される。
【００３３】
第１送信部１２２は、第１テキスト情報ＴＸＪ１をサーバー装置２の第２制御部２１に送信する。スマートフォン１と複合機３との間の通信を確立する場合には、第１送信部１２２は、複合機３の第３制御部３４（第３受信部３４１）に対して種々の情報を送信する。スマートフォン１と複合機３との間の通信を確立する処理については、後述にて、図４及び図５を参照して詳細に説明する。
【００３４】
第１受信部１２３は、サーバー装置２の第２制御部２１から第２テキスト情報ＴＸＪ２を受信する。スマートフォン１と複合機３との間の通信を確立する場合には、第１受信部１２３は、複合機３の第３制御部３４（第３送信部３４３）から種々の情報を受信する。
【００３５】
表示制御部１２４は、タッチパネル１１に種々の画像を表示する。表示制御部１２４は、例えば、チャット画面を表示する。チャット画面は、第１テキスト情報ＴＸＪ１に対応する第１テキストＴＸ１と、第２テキスト情報ＴＸＪ２に対応する第２テキストＴＸ２とを表示する。チャット画面については、後述にて図８、図１０及び図１２を参照して詳細に説明する。
【００３６】
以下、第２制御部２１について詳細に説明する。
第２受信部２１１は、スマートフォン１の第１制御部１２（第１送信部１２２）から第１テキスト情報ＴＸＪ１を受信する。第２受信部２１１は、「受信部」の一例に相当する。
【００３７】
修正部２１２は、第１テキスト情報ＴＸＪ１に含まれる誤字を修正する。
【００３８】
第１生成部２１３は、第１テキスト情報ＴＸＪ１に基づき、複合機３に実行させるジョブＪＢを示すジョブ情報ＪＢＪを生成する。第１テキスト情報ＴＸＪ１に誤字が含まれる場合には、第１生成部２１３は、修正部２１２が修正した第１テキスト情報ＴＸＪ１に基づき、複合機３に実行させるジョブＪＢを示すジョブ情報ＪＢＪを生成する。第１生成部２１３は、「生成部」の一例に相当する。
【００３９】
第２生成部２１４は、第１テキスト情報ＴＸＪ１に基づき、第２テキスト情報ＴＸＪ２を生成する。第２テキスト情報ＴＸＪ２は、ジョブＪＢを生成するために必要な情報の補充を、ユーザーに促す旨のテキスト情報を示す。第２テキスト情報ＴＸＪ２は、「メッセージ情報」に相当する。
【００４０】
第２送信部２１５は、ジョブ情報ＪＢＪを複合機３の第３制御部３４（第３受信部３４１）に送信する。ジョブ情報ＪＢＪは、第１生成部２１３によって生成される。また、第２送信部２１５は、第２テキスト情報ＴＸＪ２をスマートフォン１の第１制御部１２（第１受信部１２３）に送信する。第２送信部２１５は、「送信部」の一例に相当する。
【００４１】
以下、第３制御部３４について詳細に説明する。
第３受信部３４１は、サーバー装置２の第２制御部２１（第２送信部２１５）からジョブ情報ＪＢＪを受信する。
【００４２】
実行部３４２は、ジョブ情報ＪＢＪに対応するジョブＪＢを実行する。
【００４３】
第３送信部３４３は、ジョブＪＢの実行状況を示す情報をサーバー装置２の第２制御部２１（第２受信部２１１）に送信する。
【００４４】
以上、図１〜図３を参照して説明したように、本発明の実施形態では、スマートフォン１が、複合機３に対する指示を示す第１テキスト情報ＴＸＪ１を、チャット形式で受け付けるため、ユーザーは複合機３に対する指示を入力し易い。したがって、ユーザーの利便性を向上できる。また、サーバー装置２は、複合機３に対する指示を示す第１テキスト情報ＴＸＪ１に基づき、ジョブＪＢを示すジョブ情報ＪＢＪを生成する。よって、種々のジョブＪＢを複合機３に対して指示することが可能になる。したがって、ユーザーの利便性を向上できる。
【００４５】
また、修正部２１２は、指示を示す第１テキスト情報ＴＸＪ１に含まれる誤字を修正する。よって、スマートフォン１に入力されたテキストにタイプミスがあった場合にも、第１生成部２１３は、適正にジョブ情報ＪＢＪを生成できる。したがって、ユーザーの利便性を更に向上できる。
【００４６】
次に、図３〜図５を参照して、「複合機登録処理」について説明する。「複合機登録処理」は、スマートフォン１に複合機３を登録する処理を示す。具体的には、「複合機登録処理」は、スマートフォン１からサーバー装置２を介してジョブ情報ＪＢＪを送信し、ジョブＪＢを実行させる複合機３をスマートフォン１に登録する処理を示す。「複合機登録処理」は、スマートフォン１と複合機３との近距離通信によって実行される。
【００４７】
図４は、スマートフォン１のタッチパネル１１に表示される複合機登録画面５００の一例を示す画面図である。図４に示すように、複合機登録画面５００は、検索マーク５０１と、複合機表示部５０２と、登録ボタン５０３と、ＰＩＮ（Ｐｅｒｓｏｎａｌ  Ｉｄｅｎｔｉｆｉｃａｔｉｏｎ  Ｎｕｍｂｅｒ）表示部５０４とを含む。
【００４８】
検索マーク５０１は、スマートフォン１と近距離通信が可能な複合機３を検索する場合にユーザーによってタッチされる。近距離通信が可能な複合機３がある場合には、スマートフォン１から複合機３に対して、複合機登録処理を実行する旨の指示情報を送信する。
【００４９】
具体的には、以下のようにして、スマートフォン１は、複合機登録処理を実行する。スマートフォン１は、複合機３に対してスマートフォン１のＩＰ（Ｉｎｔｅｒｎｅｔ  Ｐｒｏｔｏｃｏｌ）アドレスＡＤＩを送信する。スマートフォン１は、複合機３のＭＡＣ（Ｍｅｄｉａ  Ａｃｃｅｓｓ  Ｃｏｎｔｒｏｌ）アドレスＡＤＭと、複合機３の複合機名ＭＮと、ＰＩＮコードＣＰとを複合機３から受信する。ＰＩＮコードＣＰは、複合機３がスマートフォン１を認証するために用いられる。「複合機登録処理」については、後述にて図５を参照して詳細に説明する。
【００５０】
複合機表示部５０２は、複合機３から受信した複合機名ＭＮを表示する。複合機名ＭＮは、例えば「カラー複合機Ａ」である。
【００５１】
登録ボタン５０３は、複合機名ＭＮに対応する複合機３を登録する場合にユーザーによってタッチされる。登録ボタン５０３がタッチされることによって「複合機登録処理」が実行される。
【００５２】
ＰＩＮ表示部５０４は、複合機３から受信したＰＩＮコードＣＰを表示する。ＰＩＮコードＣＰは、例えば「１２３４」である。ＰＩＮコードＣＰは、複合機名ＭＮ及びＭＡＣアドレスＡＤＭと対応付けて記憶部１２Ｂに記憶される。
【００５３】
また、スマートフォン１の第１制御部１２は、ＩＰアドレスＡＤＩ、複合機名ＭＮ、ＭＡＣアドレスＡＤＭ及びＰＩＮコードＣＰをサーバー装置２に送信する。サーバー装置２の第２制御部２１は、ＩＰアドレスＡＤＩに対応付けて複合機名ＭＮ、ＭＡＣアドレスＡＤＭ及びＰＩＮコードＣＰを記憶部２１Ｂに記憶する。
【００５４】
図５は、「複合機登録処理」の一例を示すフローチャートである。
図５に示すように、ステップＳ１０１において、スマートフォン１の第１制御部１２は、図４に示す検索マーク５０１のユーザーによるタッチを検出する。
次に、ステップＳ１０３において、スマートフォン１の第１制御部１２が、複合機３を検索する。具体的には、スマートフォン１の第１制御部１２は、スマートフォン１と近距離通信が可能な複合機３を検索する。
次に、ステップＳ１０５において、スマートフォン１の第１制御部１２は、複合機３に対して、スマートフォン１のＩＰアドレスＡＤＩを送信し、複合機３の第３制御部３４は、スマートフォン１のＩＰアドレスＡＤＩを受信する。
次に、ステップＳ１０７において、複合機３の第３制御部３４は、複合機３のＭＡＣアドレスＡＤＭと、複合機３の複合機名ＭＮとをスマートフォン１に対して送信する。
【００５５】
次に、ステップＳ１０９において、スマートフォン１の第１制御部１２は、複合機３のＭＡＣアドレスＡＤＭと、複合機３の複合機名ＭＮとを複合機３から受信し、複合機名ＭＮをタッチパネル１１に表示する。具体的には、表示制御部１２４は、図４に示す複合機表示部５０２に複合機名ＭＮを表示する。
次に、ステップＳ１１１において、スマートフォン１の第１制御部１２は、図４に示す登録ボタン５０３のユーザーによるタッチを検出する。
次に、ステップＳ１１３において、スマートフォン１の第１制御部１２は、複合機３に対してＰＩＮコードＣＰを送信する旨の指示情報を送信し、複合機３の第３制御部３４は、ＩＰアドレスＡＤＩに基づいてＰＩＮコードＣＰを生成する。
次に、ステップＳ１１５において、複合機３の第３制御部３４は、ＰＩＮコードＣＰをスマートフォン１に送信する。
次に、ステップＳ１１７において、複合機３の第３制御部３４は、ＰＩＮコードＣＰを受信して、ＰＩＮコードＣＰをＰＩＮ表示部５０４に表示する。具体的には、表示制御部１２４は、図４に示すＰＩＮ表示部５０４に、「あなたのＰＩＮコードは１２３４です」と表示する。その後、処理が終了する。
【００５６】
以上、図３〜図５を参照して説明したように、本発明の実施形態では、近距離通信を介して、スマートフォン１と複合機３とによって複合機登録処理が実行される。そして、スマートフォン１から複合機３に対してジョブＪＢの指示が可能な状態になる。よって、サーバー装置２を介することなく複合機登録処理が実行される。したがって、簡素な処理で複合機登録処理を実行できる。また、近距離通信を介して、スマートフォン１と複合機３とによって複合機登録処理が実行されるため、複合機登録処理を実行する対象の複合機３をユーザーが確認できる。したがって、ユーザーの利便性を向上できる。
【００５７】
次に、図３、図６及び図７を参照して、「複合機検索処理」について説明する。「複合機検索処理」は、登録された複合機３の中からジョブＪＢの実行が可能な複合機３を検索する処理を示す。ジョブＪＢの実行が可能な複合機３とは、例えば、電源が投入された複合機３であって、且つジョブＪＢの実行が規制されていない複合機３である。
【００５８】
図６は、スマートフォン１のタッチパネル１１に表示される複合機検索画面５１０の一例を示す画面図である。図６に示すように、複合機検索画面５１０は、検索マーク５１１と、第１複合機表示部５１２と、第２複合機表示部５１３とを含む。
【００５９】
検索マーク５１１は、登録された複合機３の中からジョブＪＢの実行が可能な複合機３を検索する場合に、ユーザーによってタッチされる。
【００６０】
第１複合機表示部５１２及び第２複合機表示部５１３の各々は、ジョブＪＢの実行が可能な複合機３の複合機名ＭＮを表示する。第１複合機表示部５１２には、複合機名ＭＮが「カラー複合機Ａ」と表示されている。第２複合機表示部５１３には、複合機名ＭＮが「モノクロ複合機Ｂ」と表示されている。
【００６１】
第１複合機表示部５１２に対応する複合機３に対してジョブＪＢを指示する場合には、ユーザーは、第１複合機表示部５１２をタッチする。第２複合機表示部５１３に対応する複合機３に対してジョブＪＢを指示する場合には、ユーザーは、第２複合機表示部５１３をタッチする。以下の説明においては、ユーザーが第１複合機表示部５１２をタッチする場合について説明する。第１複合機表示部５１２がタッチされた場合には、スマートフォン１の表示制御部１２４は、図８、図１０及び図１２に示すチャット画面をタッチパネル１１に表示する。
【００６２】
図７は、「複合機検索処理」の一例を示すフローチャートである。
図７に示すように、ステップＳ２０１において、スマートフォン１の第１制御部１２は、検索マーク５１１のユーザーによるタッチを検出する。
次に、ステップＳ２０３において、スマートフォン１の第１制御部１２は、指示情報を、サーバー装置２に送信する。この指示情報は、登録された複合機３の中からジョブＪＢの実行が可能な複合機３を検索する旨の指示情報である。
次に、ステップＳ２０５において、サーバー装置２の第２制御部２１は、ジョブＪＢの実行が可能な複合機３を検索する旨の指示情報を受信する。
次に、ステップＳ２０７において、サーバー装置２の第２制御部２１は、ジョブＪＢの実行が可能な複合機３のＭＡＣアドレスＡＤＭを検索する。具体的には、サーバー装置２の第２制御部２１は、指示を受信したスマートフォン１のＩＰアドレスＡＤＩに対応付けられたＭＡＣアドレスＡＤＭを記憶部２１Ｂから読み出す。このＭＡＣアドレスＡＤＭは、指示を受信したスマートフォン１のＩＰアドレスＡＤＩに対応付けられる。そして、サーバー装置２の第２制御部２１は、ＭＡＣアドレスＡＤＭに対応する複合機３に対して、ジョブＪＢの実行が可能な場合には応答する旨の指示情報を送信する。
【００６３】
次に、ステップＳ２０９において、複合機３の第３制御部３４は、サーバー装置２に対して応答情報を送信する。
次に、ステップＳ２１１において、サーバー装置２の第２制御部２１は、応答情報を受信した複合機３のＭＡＣアドレスＡＤＭをスマートフォン１に送信する。
次に、ステップＳ２１３において、スマートフォン１の第１制御部１２は、サーバー装置２から複合機３のＭＡＣアドレスＡＤＭを受信する。
次に、ステップＳ２１５において、スマートフォン１の第１制御部１２は、検索結果をタッチパネル１１に表示する。具体的には、スマートフォン１の第１制御部１２は、ＭＡＣアドレスＡＤＭを受信した複合機３が、ジョブＪＢの実行が可能な複合機３であると判定する。そして、スマートフォン１の第１制御部１２は、ＭＡＣアドレスＡＤＭに対応する複合機名ＭＮを記憶部１２Ｂから読み出して、第１複合機表示部５１２又は第２複合機表示部５１３に表示する。その後、処理が終了する。
【００６４】
以上、図３、図６及び図７を参照して説明したように、本発明の実施形態では、サーバー装置２が、スマートフォン１に登録された複合機３の中からジョブＪＢの実行が可能な複合機３を検索する。したがって、スマートフォン１の処理を簡素化できる。
【００６５】
また、図４を参照して説明したように、サーバー装置２の記憶部２１Ｂは、ＩＰアドレスＡＤＩに対応付けて複合機名ＭＮ、ＭＡＣアドレスＡＤＭ及びＰＩＮコードＣＰを記憶する。よって、サーバー装置２の第２制御部２１は、ジョブＪＢの実行が可能な複合機３を容易に検索できる。したがって、サーバー装置２の処理を簡素化できる。
【００６６】
次に、図３、図８及び図９を参照して、「印刷処理」について説明する。「印刷処理」は、スマートフォン１からの印刷をする旨の第１テキスト情報ＴＸＪ１に基づき、複合機３にジョブＪＢを実行させる処理を示す。具体的には、スマートフォン１から印刷をする旨の第１テキスト情報ＴＸＪ１をサーバー装置２に送信する。サーバー装置２は、第１テキスト情報ＴＸＪ１に基づき、印刷ジョブ情報ＪＰＪを生成し、印刷ジョブ情報ＪＰＪを複合機３に送信する。複合機３は、印刷ジョブ情報ＪＰＪに基づき印刷ジョブＪＰを実行する。印刷ジョブ情報ＪＰＪは、印刷ジョブＪＰを示す。印刷ジョブＪＰは、印刷処理を実行するジョブＪＢを示す。
【００６７】
図８は、スマートフォン１のタッチパネル１１に表示される第１チャット画面５２０の一例を示す画面である。第１チャット画面５２０は、「印刷処理」を実行する際に、第１制御部１２の表示制御部１２４によってタッチパネル１１に表示される。図８に示すように、第１チャット画面５２０は、左側にサーバー装置２から送信されるメッセージが表示され、右側にユーザーが入力するメッセージが表示される。
【００６８】
具体的には、第１チャット画面５２０は、複合機表示部５２１、第１ログ５２２、第２ログ５２３、第３ログ５２４、第４ログ５２５、第５ログ５２６、第６ログ５２７及びファイル添付ボタン５２８を含む。第１ログ５２２、第２ログ５２３、第５ログ５２６及び第６ログ５２７の各々は、サーバー装置２から送信されるメッセージに対応する。本発明の実施形態では、複合機３の代わりにサーバー装置２がユーザーとのチャットを実行するため、ユーザーは、複合機３とチャットしていると認識する。第３ログ５２４及び第４ログ５２５の各々は、ユーザーが入力するメッセージに対応する。
【００６９】
複合機表示部５２１は、複合機３の複合機名ＭＮを表示する。具体的には、複合機表示部５２１には、「カラー複合機Ａ」と表示されている。スマートフォン１は、複合機３に対してジョブＪＢを指示する。具体的には、スマートフォン１は、サーバー装置２を介して複合機３に対してジョブＪＢを指示する。
【００７０】
第１ログ５２２は、ユーザーＵＡに対する挨拶を示す。具体的には、第１ログ５２２には、「こんにちは。ＵＡさん」と表示される。
【００７１】
第２ログ５２３は、ユーザーＵＡに対して指示を促すメッセージを示す。具体的には、第２ログ５２３には、「何かしましょうか？」と表示される。第１ログ５２２及び第２ログ５２３の各々に示すメッセージは、図３に示す第２生成部２１４によって生成される。すなわち、第１ログ５２２及び第２ログ５２３の各々に示すメッセージは、第２テキスト情報ＴＸＪ２が示す第２テキストＴＸ２に対応する。第２テキスト情報ＴＸＪ２は、第２生成部２１４によって生成される。
【００７２】
第３ログ５２４は、ユーザーＵＡから複合機３へのメッセージを示す。具体的には、第３ログ５２４には、「デフォールトの条件で１部印刷してください。」と表示される。
【００７３】
第４ログ５２５は、ユーザーＵＡから複合機３へのメッセージを示す。具体的には、第４ログ５２５には、「ＤｏｃＡ．ｐｄｆを送りました。」と表示される。「ＤｏｃＡ．ｐｄｆ」は、スマートフォン１の記憶部１２Ｂに記憶されているＰＤＦ（Ｐｏｒｔａｂｌｅ  Ｄｏｃｕｍｅｎｔ  Ｆｏｒｍａｔ）ファイルの一例を示す。ユーザーＵＡは、ファイル添付ボタン５２８をタッチすることによって、ファイルを送信できる。
【００７４】
すなわち、ユーザーＵＡは、第３ログ５２４に示すメッセージを送信した後、ファイル添付ボタン５２８をタッチして、記憶部１２Ｂに記憶されている「ＤｏｃＡ．ｐｄｆ」を送信する。そして、第４ログ５２５に示すメッセージを入力する。
【００７５】
第３ログ５２４と第４ログ５２５とによって、ユーザーＵＡは、「ＤｏｃＡ．ｐｄｆを１部デフォールトの条件で印刷してください。」との指示情報を、サーバー装置２を介して複合機３に送信する。そして、複合機３によって、「ＤｏｃＡ．ｐｄｆ」の印刷処理が実行される。
【００７６】
第５ログ５２６は、ユーザーＵＡに対するメッセージを示す。具体的には、第５ログ５２６には、「印刷中・・・」と表示される。
【００７７】
第６ログ５２７は、ユーザーＵＡに対するメッセージを示す。具体的には、第６ログ５２７には、「印刷が完了しました。トレイに出力されました。」と表示される。
【００７８】
第５ログ５２６及び第６ログ５２７の各々に示すメッセージは、図３に示す第２生成部２１４によって生成される。具体的には、サーバー装置２が複合機３に対して、印刷を実行する旨のジョブ情報ＪＢＪを送信する。そして、複合機３が印刷ジョブ情報ＪＰＪに対応する印刷ジョブＪＰを実行する。複合機３が印刷ジョブＪＰの実行を開始した時点で、複合機３は印刷ジョブＪＰの実行を開始した旨のメッセージ情報をサーバー装置２に送信する。このメッセージ情報に基づいて、サーバー装置２の第２生成部２１４は、第５ログ５２６のメッセージを示す第２テキスト情報ＴＸＪ２を生成し、第２テキスト情報ＴＸＪ２をスマートフォン１に送信する。また、複合機３が印刷ジョブＪＰの実行を終了した時点で、複合機３は印刷ジョブＪＰの実行を終了した旨のメッセージ情報をサーバー装置２に送信する。このメッセージ情報に基づいて、サーバー装置２の第２生成部２１４は、第６ログ５２７のメッセージを示す第２テキスト情報ＴＸＪ２を生成し、第２テキスト情報ＴＸＪ２をスマートフォン１に送信する。
【００７９】
ファイル添付ボタン５２８は、スマートフォン１の記憶部１２Ｂに記憶されているファイルを、サーバー装置２を介して複合機３に送信する場合に、ユーザーＵＡによってタッチされる。ファイル添付ボタン５２８がタッチされた場合には、スマートフォン１の表示制御部１２４は、記憶部１２Ｂに記憶されているファイルの一覧をタッチパネル１１に表示する。ユーザーＵＡは、ファイルの一覧の中から、送信を所望するファイルのファイル名をタッチすることによって、送信を所望するファイルを決定する。このようにして、ユーザーＵＡは、記憶部１２Ｂに記憶されているファイルを、サーバー装置２を介して複合機３に送信できる。
【００８０】
図９は、印刷処理の一例を示すフローチャートである。
図９に示すように、まず、ステップＳ３０１において、サーバー装置２の第２生成部２１４は、定型文を示す第２テキスト情報ＴＸＪ２を生成し、第２テキスト情報ＴＸＪ２をスマートフォン１に対して送信する。定型文は、図８の第１ログ５２２及び第２ログ５２３の各々に示すメッセージに対応する。
次に、ステップＳ３０３において、スマートフォン１の受付部１２１は、ユーザーＵＡから印刷指示を示す第１テキスト情報ＴＸＪ１を受け付ける。印刷指示は、図８の第３ログ５２４及び第４ログ５２５の各々に示すメッセージに対応する。
次に、ステップＳ３０５において、サーバー装置２の第１生成部２１３は、第１テキスト情報ＴＸＪ１に基づき、複合機３に実行させる印刷ジョブＪＰを示す印刷ジョブ情報ＪＰＪを生成する。
次に、ステップＳ３０７において、複合機３の実行部３４２は、印刷ジョブＪＰを実行する。
【００８１】
次に、ステップＳ３０９において、複合機３の実行部３４２は、印刷ジョブＪＰの実行を完了し、第３送信部３４３は、印刷ジョブＪＰの実行が完了した旨の情報をサーバー装置２に送信する。
次に、ステップＳ３１１において、サーバー装置２の第２生成部２１４は、第２テキスト情報ＴＸＪ２を生成する。第２テキスト情報ＴＸＪ２は、印刷ジョブＪＰの実行が完了した旨のメッセージＭＧを示す。
次に、ステップＳ３１３において、スマートフォン１の表示制御部１２４は、メッセージＭＧをタッチパネル１１に表示する。メッセージＭＧは、図８の第６ログ５２７に示すメッセージに対応する。
【００８２】
以上、図３、図８及び図９を参照して説明したように、本発明の実施形態では、サーバー装置２の第２生成部２１４は、スマートフォン１から受信した第１テキスト情報ＴＸＪ１に基づき、第２テキスト情報ＴＸＪ２を生成する。第２テキスト情報ＴＸＪ２は、ジョブ情報ＪＢＪを生成するために必要な情報の補充を促す。そして、スマートフォン１の表示制御部１２４は、第２テキスト情報ＴＸＪ２に対応するテキストをタッチパネル１１にチャット形式で表示する。よって、ユーザーは、第２テキスト情報ＴＸＪ２に対応するテキストに基づいて、複合機３に対してジョブＪＢを容易に指示できる。したがって、ユーザーの利便性を更に向上できる。
【００８３】
また、サーバー装置２は、複合機３に対する指示を示す第１テキスト情報ＴＸＪ１に基づき、印刷ジョブＪＰを示す印刷ジョブ情報ＪＰＪを生成する。よって、ユーザーはスマートフォン１のタッチパネル１１に、第１テキスト情報ＴＸＪ１を入力することによって、印刷ジョブＪＰを複合機３に対して指示することが可能になる。すなわち、印刷ジョブＪＰを生成するための言語（例えば、ページ記述言語：ＰＤＬ（Ｐａｇｅ  Ｄｅｓｃｒｉｐｔｉｏｎ  Ｌａｎｇｕａｇｅ））に関する知識のないユーザーであっても、容易に印刷ジョブ情報ＪＰＪを生成できる。したがって、ユーザーの利便性を更に向上できる。
【００８４】
次に、図３、図１０及び図１１を参照して「プレビュー処理」について説明する。「プレビュー処理」は、スマートフォン１からのプレビュー画像ＭＰＶを表示する旨の第１テキスト情報ＴＸＪ１に基づき、複合機３にプレビュージョブＪＶを実行させる処理を示す。具体的には、スマートフォン１からプレビュー画像ＭＰＶを表示する旨の第１テキスト情報ＴＸＪ１をサーバー装置２に送信する。サーバー装置２は、第１テキスト情報ＴＸＪ１に基づき、プレビュージョブ情報ＪＶＪを生成し、プレビュージョブ情報ＪＶＪを複合機３に送信する。複合機３は、プレビュージョブ情報ＪＶＪに基づきプレビュージョブＪＶを実行し、プレビュー画像ＭＰＶを生成して、プレビュー画像ＭＰＶをサーバー装置２に送信する。サーバー装置２は、プレビュー画像ＭＰＶをスマートフォン１に送信する。
【００８５】
図１０は、スマートフォン１のタッチパネル１１に表示される第２チャット画面５３０の一例を示す画面である。第２チャット画面５３０は、「プレビュー処理」を実行する際に、第１制御部１２の表示制御部１２４によってタッチパネル１１に表示される。図１０に示すように、第２チャット画面５３０は、左側にサーバー装置２から送信されるメッセージが表示され、右側にユーザーが入力するメッセージが表示される。
【００８６】
具体的には、第２チャット画面５３０は、複合機表示部５３１、第１ログ５３２、第２ログ５３３、第３ログ５３４、第４ログ５３５、第５ログ５３６、第６ログ５３７、第７ログ５３８及びファイル添付ボタン５３９を含む。第１ログ５３２、第２ログ５３３、第３ログ５３４及び第５ログ５３６の各々は、ユーザーが入力するメッセージに対応する。第４ログ５３５、第６ログ５３７及び第７ログ５３８の各々は、サーバー装置２から送信されるメッセージに対応する。
【００８７】
複合機表示部５３１は、複合機３の複合機名ＭＮを表示する。具体的には、複合機表示部５３１には、「カラー複合機Ａ」と表示されている。スマートフォン１は、複合機３に対してプレビュージョブＪＶを指示する。具体的には、スマートフォン１は、サーバー装置２を介して複合機３に対してプレビュージョブＪＶを指示する。
【００８８】
第１ログ５３２は、ユーザーから複合機３へのメッセージを示す。具体的には、第１ログ５３２には、「濃度値を３に設定し、彩度値を４に設定し、縮小率を９０％に設定してください。」と表示される。「濃度値」は、用紙Ｐに形成する画像の濃度を示す。「濃度値」は、本発明の実施形態では、１〜５のうちのいずれかの整数に設定される。「彩度値」は、用紙Ｐに形成する画像の彩度を示す。「彩度値」は、本発明の実施形態では、１〜５のうちのいずれかの整数に設定される。「縮小率」は、用紙Ｐに形成する画像を縮小する割合を示す。
【００８９】
第２ログ５３３は、ユーザーから複合機３へのメッセージを示す。具体的には、第２ログ５３３には、「ＤｏｃＡ．ｐｄｆを送りました。」と表示される。「ＤｏｃＡ．ｐｄｆ」は、スマートフォン１の記憶部１２Ｂに記憶されているＰＤＦ（Ｐｏｒｔａｂｌｅ  Ｄｏｃｕｍｅｎｔ  Ｆｏｒｍａｔ）ファイルを示す。ユーザーは、ファイル添付ボタン５３９をタッチすることによってファイルを複合機３に送信できる。
【００９０】
第３ログ５３４は、ユーザーから複合機３へのメッセージを示す。具体的には、第３ログ５３４には、「プレビュー画像を表示してください。」と表示される。
【００９１】
第４ログ５３５は、ユーザーに対するメッセージを示す。具体的には、第４ログ５３５には「タッチしてプレビュー画像を表示してください。」と表示される。ユーザーは、第４ログ５３５をタッチすることによって、プレビュー画像ＭＰＶをタッチパネル１１に表示する。具体的には、第４ログ５３５が第２チャット画面５３０に表示される際に、サーバー装置２からプレビュー画像ＭＰＶがスマートフォン１に送信される。そして、ユーザーが第４ログ５３５をタッチした場合に、表示制御部１２４は、プレビュー画像ＭＰＶをタッチパネル１１に表示する。表示制御部１２４は、プレビュー画像ＭＰＶを第２チャット画面５３０内にポップアップ表示する。なお、表示制御部１２４は、第２チャット画面５３０からプレビュー画像ＭＰＶを表示する画面に切り換えてもよい。
【００９２】
第５ログ５３６は、ユーザーから複合機３へのメッセージを示す。具体的には、第５ログ５３６には、「９９部印刷してください。」と表示される。
【００９３】
第６ログ５３７は、ユーザーに対するメッセージを示す。具体的には、第６ログ５３７には、「印刷中・・・」と表示される。
【００９４】
第７ログ５３８は、ユーザーに対するメッセージを示す。具体的には、第７ログ５３８には、「印刷が完了しました。トレイに出力されました。」と表示される。
【００９５】
第６ログ５３７及び第７ログ５３８の各々に示すメッセージは、図３に示す第２生成部２１４によって生成される。具体的には、第６ログ５３７及び第７ログ５３８の各々に示すメッセージは、図８に示す第５ログ５２６及び第６ログ５２７の各々に示すメッセージと同様にして生成される。
【００９６】
ファイル添付ボタン５３９は、スマートフォン１の記憶部１２Ｂに記憶されているファイルを複合機３に送信する場合に、ユーザーによってタッチされる。具体的には、ファイル添付ボタン５３９は、図８に示すファイル添付ボタン５２８と同様の機能を有する。
【００９７】
図１１は、プレビュー処理の一例を示すフローチャートである。
図１１に示すように、ステップＳ４０１において、スマートフォン１の受付部１２１は、印刷条件と、プレビュー指示とを示す第１テキスト情報ＴＸＪ１をユーザーから受け付ける。印刷条件は、図１０の第１ログ５３２に示すメッセージに対応する。プレビュー指示は、第２ログ５３３に示すメッセージに対応する。
次に、ステップＳ４０３において、サーバー装置２の第１生成部２１３は、第１テキスト情報ＴＸＪ１に基づき、プレビュージョブ情報ＪＶＪを生成する。プレビュージョブ情報ＪＶＪは、複合機３に実行させるプレビュージョブＪＶを示す。
次に、ステップＳ４０５において、複合機３の実行部３４２は、プレビュージョブＪＶを実行して、プレビュー画像ＭＰＶを生成する。
次に、ステップＳ４０７において、複合機３の第３送信部３４３は、プレビュー画像ＭＰＶを示す情報をサーバー装置２に送信する。
【００９８】
次に、ステップＳ４０９において、サーバー装置２の第２送信部２１５は、プレビュー画像ＭＰＶを示す情報をスマートフォン１に送信する。
次に、ステップＳ４１１において、スマートフォン１の表示制御部１２４は、タッチパネル１１にプレビュー画像ＭＰＶを表示する。
次に、ステップＳ４１３において、スマートフォン１の受付部１２１は、ユーザーから印刷指示を示す第１テキスト情報ＴＸＪ１を受け付ける。印刷指示は、図１０の第５ログ５３６に示すメッセージに対応する。
次に、ステップＳ４１５において、サーバー装置２の第１生成部２１３は、第１テキスト情報ＴＸＪ１に基づき、印刷ジョブ情報ＪＰＪを生成する。印刷ジョブ情報ＪＰＪは、複合機３に実行させる印刷ジョブＪＰを示す。
次に、ステップＳ４１７において、複合機３の実行部３４２は、印刷ジョブＪＰを実行する。
【００９９】
次に、ステップＳ４１９において、複合機３の実行部３４２は、印刷ジョブＪＰの実行を完了し、第３送信部３４３は、印刷ジョブＪＰの実行が完了した旨の情報をサーバー装置２に送信する。
次に、ステップＳ４２１において、サーバー装置２の第２生成部２１４は、第２テキスト情報ＴＸＪ２を生成する。第２テキスト情報ＴＸＪ２は、印刷ジョブＪＰの実行が完了した旨のメッセージＭＧを示す。
次に、ステップＳ４２３において、スマートフォン１の表示制御部１２４は、メッセージＭＧをタッチパネル１１に表示する。メッセージＭＧは、図１０の第７ログ５３８に示すメッセージに対応する。
【０１００】
以上、図３、図１０及び図１１を参照して説明したように、本発明の実施形態では、サーバー装置２は、複合機３に対する指示を示す第１テキスト情報ＴＸＪ１に基づき、プレビュージョブＪＶを示すプレビュージョブ情報ＪＶＪを生成する。よって、ユーザーはスマートフォン１のタッチパネル１１に、第１テキスト情報ＴＸＪ１を入力することによって、プレビュージョブＪＶを複合機３に対して指示することが可能になる。すなわち、プレビュージョブＪＶを生成するための言語（例えば、ページ記述言語）に関する知識のないユーザーであっても、容易にプレビュージョブ情報ＪＶＪを生成できる。したがって、ユーザーの利便性を更に向上できる。
【０１０１】
次に、図３、図１２及び図１３を参照して「メール送信処理」について説明する。「メール送信処理」は、複合機３のボックスに記憶されているファイルを電子メールに添付してスマートフォン１に送る処理を示す。ボックスは、複合機３のユーザー毎に記憶領域が設定されている。また、ボックス内のファイルを読み出すためには、ユーザーの認証が必要である。ただし、以下の条件を満たす場合には、複合機３は、ユーザー認証を行うことなく、ユーザーＵＡのボックス内のファイルを読み出す。すなわち、スマートフォン１の所有者はユーザーＵＡであり、且つ、ユーザーＵＡの所有するスマートフォン１からユーザーＵＡのボックス内のファイルを読出す旨の要求があったとの条件を満たす場合である。
【０１０２】
図１２は、スマートフォン１のタッチパネル１１に表示される第３チャット画面５４０の一例を示す画面である。第３チャット画面５４０は、「メール送信処理」を実行する際に、第１制御部１２の表示制御部１２４によってタッチパネル１１に表示される。図１２に示すように、第３チャット画面５４０は、左側にサーバー装置２から送信されるメッセージが表示され、右側にユーザーが入力するメッセージが表示される。
【０１０３】
具体的には、第３チャット画面５４０は、複合機表示部５４１、第１ログ５４２、第２ログ５４３、第３ログ５４４、第４ログ５４５及び第５ログ５４６を含む。第１ログ５４２及び第３ログ５４４の各々は、ユーザーが入力するメッセージに対応する。第２ログ５４３、第４ログ５４５及び第５ログ５４６の各々は、サーバー装置２から送信されるメッセージに対応する。
【０１０４】
複合機表示部５４１は、複合機３の複合機名ＭＮを表示する。具体的には、複合機表示部５４１には、「カラー複合機Ａ」と表示されている。スマートフォン１は、複合機３に対してメール送信ジョブＪＭを指示する。具体的には、スマートフォン１は、サーバー装置２を介して複合機３に対してメール送信ジョブＪＭを指示する。メール送信ジョブＪＭは、複合機３にメール送信処理を実行させるジョブＪＢを示す。
【０１０５】
第１ログ５４２は、ユーザーから複合機３へのメッセージを示す。具体的には、第１ログ５４２には、「ユーザーＵＡのボックスに記憶されているファイルのリストを送付してください。」と表示されている。
【０１０６】
第２ログ５４３は、ユーザーに対するメッセージを示す。具体的には、第２ログ５４３には、「ユーザーＵＡのボックス内には、次の２つのファイルがあります。ファイル名は、Ｄｏｃ１．ｐｄｆ及びＤｏｃ２．ｐｄｆです。」と表示されている。
【０１０７】
第３ログ５４４は、ユーザーから複合機３へのメッセージを示す。具体的には、第１ログ５４２には、「ユーザーＵＡのボックス内のＤｏｃ１．ｐｄｆを添付して、『ｕｓｅｒｂ＠ｅｍａｉｌ．ｃｏｍ』宛てに電子メールを送信してください。タイトルは、「要求された文書」です。本文は、『要求のあった文書のコピーです。』」と表示される。
【０１０８】
第４ログ５４５は、ユーザーに対するメッセージを示す。具体的には、第４ログ５４５には、「送信中・・・」と表示される。
【０１０９】
第５ログ５４６は、ユーザーに対するメッセージを示す。具体的には、第５ログ５４６には、「電子メールの送信を完了しました」と表示される。
【０１１０】
第４ログ５４５及び第５ログ５４６の各々に示すメッセージは、図３に示す第２生成部２１４によって生成される。具体的には、図８に示す第５ログ５２６及び第６ログ５２７の各々に示すメッセージと同様にして生成される。
【０１１１】
図１３は、メール送信処理の一例を示すフローチャートである。
図１３に示すように、ステップＳ５０１において、スマートフォン１の受付部１２１は、第１テキスト情報ＴＸＪ１を受け付ける。この第１テキスト情報ＴＸＪ１は、ユーザーから複合機３のボックス内のファイルのリストＬＦを送付する旨の指示を示す。
次に、ステップＳ５０３において、サーバー装置２の第１生成部２１３は、第１テキスト情報ＴＸＪ１に基づき、ファイルリストジョブ情報ＪＦＪを生成する。ファイルリストジョブ情報ＪＦＪは、複合機３に実行させるファイルリストジョブＪＦを示す。ファイルリストジョブＪＦは、ボックス内のファイルのリストＬＦを送付するジョブＪＢを示す。
次に、ステップＳ５０５において、複合機３の実行部３４２は、ファイルリストジョブＪＦを実行して、リストＬＦを生成し、複合機３の第３送信部３４３は、リストＬＦを示す情報をサーバー装置２に送信する。
【０１１２】
次に、ステップＳ５０７において、サーバー装置２の第２送信部２１５は、リストＬＦを示す情報をスマートフォン１に送信する。
次に、ステップＳ５０９において、スマートフォン１の表示制御部１２４は、タッチパネル１１にリストＬＦを表示する。
次に、ステップＳ５１１において、スマートフォン１の受付部１２１は、メール送信処理の指示を示す第１テキスト情報ＴＸＪ１をユーザーから受け付ける。メール送信処理の指示は、図１２の第３ログ５４４に示すメッセージに対応する。
次に、ステップＳ５１３において、サーバー装置２の第１生成部２１３は、第１テキスト情報ＴＸＪ１に基づき、メール送信ジョブ情報ＪＭＪを生成する。メール送信ジョブ情報ＪＭＪは、複合機３に実行させるメール送信ジョブＪＭを示す。メール送信ジョブＪＭは、「電子メール送信ジョブ」に相当する。
【０１１３】
次に、ステップＳ５１５において、複合機３の実行部３４２は、メール送信ジョブＪＭを実行する。そして、複合機３の実行部３４２は、メール送信ジョブＪＭの実行を完了し、第３送信部３４３は、メール送信ジョブＪＭの実行が完了した旨の情報をサーバー装置２に送信する。
次に、ステップＳ５１７において、サーバー装置２の第２生成部２１４は、第２テキスト情報ＴＸＪ２を生成する。第２テキスト情報ＴＸＪ２は、メール送信ジョブＪＭＰの実行が完了した旨のメッセージＭＧを示す。
次に、ステップＳ５１９において、スマートフォン１の表示制御部１２４は、メッセージＭＧをタッチパネル１１に表示する。メッセージＭＧは、図１２の第５ログ５４６に示すメッセージに対応する。
【０１１４】
以上、図３、図１２及び図１３を参照して説明したように、本発明の実施形態では、サーバー装置２は、複合機３に対する指示を示す第１テキスト情報ＴＸＪ１に基づき、メール送信ジョブＪＭを示すメール送信ジョブ情報ＪＭＪを生成する。よって、ユーザーはスマートフォン１のタッチパネル１１に、第１テキスト情報ＴＸＪ１を入力することによって、メール送信ジョブ情報ＪＭＪを複合機３に対して指示することが可能になる。すなわち、メール送信ジョブＪＭを生成するための言語（例えば、ページ記述言語）に関する知識のないユーザーであっても、容易にメール送信ジョブ情報ＪＭＪを生成できる。したがって、ユーザーの利便性を更に向上できる。
【０１１５】
また、ジョブＪＢは、複合機３にスマートフォン１宛ての電子メールを送信させるメール送信ジョブＪＭを含む。よって、スマートフォン１は、複合機３から種々の情報を取得できる。したがって、ユーザーの利便性を更に向上できる。
【０１１６】
また、メール送信ジョブＪＭは、データを電子メールに添付するジョブを含む。よって、スマートフォン１は、複合機３から種々のデータを取得できる。したがって、ユーザーの利便性を更に向上できる。
【０１１７】
なお、本発明の実施形態では、ジョブＪＢが、ファイルリストジョブＪＦ及びメール送信ジョブＪＭである場合について説明したが、本発明はこれに限定されない。ジョブＪＢが、印刷ジョブＪＰ、プレビュージョブＪＶ、メール送信ジョブＪＭ、データ受信ジョブ、ボックス記憶ジョブ、及びファクシミリ送信ジョブの少なくとも１つを含めばよい。データ受信ジョブは、複合機３にデータを受信させるジョブを示す。ボックス記憶ジョブは、複合機３にデータを受信させて、所定のボックスに記憶させるジョブを示す。ファクシミリ送信ジョブは、複合機３にファクシミリを送信させるジョブを示す。
【０１１８】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（２））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【０１１９】
（１）図１〜図３を参照して説明したように、本発明の実施形態では、端末装置がスマートフォン１であるが、本発明はこれに限定されない。端末装置は、サーバー装置２と通信可能に構成され、ディスプレーと制御部とを備えればよい。例えば、端末装置がタブレット型コンピューターでもよいし、パーソナルコンピューターでもよい。
【０１２０】
（２）図１〜図３を参照して説明したように、本発明の実施形態では、画像形成装置が複合機３であるが、本発明はこれに限定されない。画像形成装置は、サーバー装置２と通信可能に構成され、画像形成部３１４と第３制御部３４とを備えればよい。例えば、画像形成装置がプリンターでもよい。また、例えば、画像形成装置がファクシミリ装置でもよい。
【産業上の利用可能性】
【０１２１】
本発明は、画像形成システム、及びサーバー装置の分野に利用可能である。
【符号の説明】
【０１２２】
１００    画像形成システム
１    スマートフォン（端末装置）
１１    タッチパネル
１２    第１制御部
１２Ａ    プロセッサー
１２Ｂ    記憶部
１２１    受付部
１２２    第１送信部
１２３    第１受信部
１２４    表示制御部
２    サーバー装置
２１    第２制御部
２１Ａ    プロセッサー
２１Ｂ    記憶部
２１１    第２受信部
２１２    修正部
２１３    第１生成部
２１４    第２生成部
２１５    第２送信部
３    複合機（画像形成装置）
３１    画像形成ユニット
３１４    画像形成部
３２    画像読取ユニット
３３    原稿搬送ユニット
３４    第３制御部
３４Ａ    プロセッサー
３４Ｂ    記憶部
３４１    第３受信部
３４２    実行部
３４３    第３送信部
４    ネットワーク
ＪＢＪ    ジョブ情報
ＪＢ    ジョブ
ＪＰＪ    印刷ジョブ情報
ＪＰ    印刷ジョブ
ＪＶＪ    プレビュージョブ情報
ＪＶ    プレビュージョブ
ＪＦＪ    ファイルリストジョブ情報
ＪＦ    ファイルリストジョブ
ＪＭＪ    メール送信ジョブ情報
ＪＭ    メール送信ジョブ
ＴＸ１    第１テキスト
ＴＸ１Ｊ    第１テキスト情報（テキスト情報）
ＴＸ２    第２テキスト
ＴＸ２Ｊ    第２テキスト情報（メッセージ情報）
【図１】
2019205116.tif 000003
【図２】
2019205116.tif 000004
【図３】
2019205116.tif 000005
【図４】
2019205116.tif 000006
【図５】
2019205116.tif 000007
【図６】
2019205116.tif 000008
【図７】
2019205116.tif 000009
【図８】
2019205116.tif 000010
【図９】
2019205116.tif 000011
【図１０】
2019205116.tif 000012
【図１１】
2019205116.tif 000013
【図１２】
2019205116.tif 000014
【図１３】
2019205116.tif 000015